(57)【要約】【課題】簡易な構成で、任意のコメント入力できる記録計を提供することである。【解決手段】時間的に変化するトレンド表示などの記録データ表示画面１０を表示する表示手段２と、この表示手段２に重ねて設けられたタッチパネル３と、このタッチパネルに触れた指示手段４の位置を認識し、時間的に変化するトレンド表示に指示手段の軌跡を重ね合わせ前記表示手段の表示画面に表示する処理手段とを備えた記録計で、余分なキーボードなどを用意する必要がなく、タッチペンなどの指示手段などで任意の位置に自由なコメント等を記入・表示でき、現場での取扱・使い勝手に優れる。【選択図】図１
2004028791.tif 000002
【特許請求の範囲】
【請求項１】
時間的に変化するトレンド表示などの記録データ表示画面を表示する表示手段と、この表示手段に重ねて設けられたタッチパネルと、このタッチパネルに触れた指示手段の位置を認識し、時間的に変化するするトレンド表示に指示手段の軌跡を重ね合わせ前記表示手段の表示画面に表示する処理手段とを備えた記録計。
【請求項２】
前記処理手段は、前記指示手段の位置に音声入力手段の情報を表示するための処理を行うことを特徴とする請求項１記載の記録計。
【請求項３】
前記処理手段は、処理データをメモリに格納し、保存又は再生させることを特徴とする請求項１又は請求項２記載の記録計。
【発明の詳細な説明】
【０００１】
【発明の属する技術分野】
この発明は、温度等のアナログ測定信号データなどの記録データを表示・記録させる記録計に関するものである。
【０００２】
【従来の技術】
温度等のアナログ測定データの時間的に変化するトレンド表示などを行うペーパーレス記録計において、立ち上げ時や変化が起きたときなど、ペーパー記録計の紙上に記入するような手法でコメントなどを記録画面に記入したい場合がある。従来、ペーパーレス記録計にコメント入力する場合、たとえば、別途用意したキーボードから入力したり、あらかじめ定められた定型表現を選択して記録させるなどしていた。
【０００３】
【発明が解決しようとする課題】
しかしながら、キーボードや定型表現を使ってコメント入力する方法では、とっさの場合など現場での取扱が不便であり、また、定型表現では充分なコメントが記録できない問題点があった。
【０００４】
この発明は、以上の点に鑑み、簡易な構成で、任意のコメント入力できるペーパーレスのグラフイック型の記録計を提供することである。
【０００５】
【課題を解決するための手段】
この発明は、時間的に変化するトレンド表示などの記録データ表示画面を表示する表示手段と、この表示手段に重ねて設けられたタッチパネルと、このタッチパネルに触れた指示手段の位置を認識し、時間的に変化するトレンド表示に指示手段の軌跡を重ね合わせ前記表示手段の表示画面に表示する処理手段とを備えた記録計である。
【０００６】
【発明の実施の形態】
図１はこの発明の一実施例の外観を示す説明図である。この図１において、１は、本願発明に係るペーパーレスのグラフィック記録計の前面部で、奥行き方向のケースや内蔵の処理手段等は省略してある。そして、この前面部１は、時間的に変化するトレンド表示２ａ、２ｂ、２ｃなどの記録データ表示画面１０を表示するＬＣＤ等の表示手段２を有し、この記録データ表示画面１０を表示する表示手段２に重ねてその前面にタッチパネル３が設けられている。このタッチパネル３に指先やタッチペンのような指示手段４で触れると、指示手段４の位置４ａは認識され　時間的に変化するトレンド表示２ａ、２ｂ、２ｃに指示手段４の軌跡を重ね合わせ自由な文字描画、たとえば「温度異常」などが記録データ表示画面１０に表示される。また、指示手段４で所定の位置４ｂを指定し、マイク等の音声入力手段５で「Ａ号炉」などと言うと、この音声情報がテキスト表示される。つまり、音声録音されたり、または音声認識してテキスト表示されることになる。この例では右から左へと横方向に時間軸が流れ（左のほうが古いデータ表示）、上下の縦方向にデータ量の大小がトレンド表示２ａ、２ｂ、２ｃされ、指示手段４の位置４ａ，４ｂに相当して指示手段４の軌跡に相当するコメント４ａや必要なコメント４ｂなどが表示される。なお、アナログ信号のほか、オンオフ状態やカウント積算値などのデジタル信号の時間的なトレンド表示の場合も同様である。
【０００７】
次に、図２の構成説明図で示すように、この記録計は、バスＢに、プログラムも含むことができるμＣＰＵのような処理手段６、プログラムやデ−タの格納を行うメモリ７、時刻情報を発生する時計手段８、処理手段６により生成された画像用データやコメントなどの表示処理をし表示手段２の表示画面１０に実際の時間的に変化に対応するトレンド記録や各種文字等のデータをグラフィック表示するための表示コントロールを行う処理手段９、マイク等の音声入力手段５、温度などの測定信号を入力する入力手段１１等が接続されている。
【０００８】
つまり、入力手段１１に通信または直接入力されたデジタルまたはアナログ測定信号は、統一的なデジタル測定信号データとされ、処理手段６でトレンド記録用の画像表示用データとされ、表示処理手段９で表示処理され、実際の時間的に変化に対応するトレンド記録などが表示手段２に表示される。なお、表示処理手段９を用いずに処理手段６で表示処理するようにしてもよい。また、タッチペンや指先などの指示手段４でタッチパネル３に触れた位置情報データが処理手段６に取り込まれ、時計手段８の時刻情報データと関係付けられ、あるいは時間的に流れるトレンドグラフの表示位置データと関係づけられ、表示処理手段９を介し、時間的に変化するトレンド表示画面中に指示手段４の軌跡を重ね合わせ表示手段１０に表示する。また、指示手段４でタッチパネル３に指定された位置情報と、音声入力手段５で入力された音声情報を処理手段６は取り込み、同様に、タッチ位置は時計手段８の時刻情報データなどと関係付けられ画面表示中に位置づけられて表示されるとともに、音声録音されたり、あるいは音声認識されて音声情報は文字テキストとされる。つまり、この音声データは表示処理手段９を介し、時間的に変化するトレンド表示の指示手段４の指示位置に音声情報をテキスト文として重ね合わせた画面を表示手段２に表示することができ、また、音声録音の場合、その録音位置を指示手段４で指示し画面上に示すようにすることができる。さらに、処理手段６は、処理された画像データ等をメモリ７に格納・保存しておき、必要に応じて表示処理手段９等を介し、表示手段２に再生・再表示させることができる。なお、音声入力手段５として、マイクのほか無線通信を利用した音声入力機器などを用いてもよい。
【０００９】
図３は、この発明の処理手段６等の機能を示す参考的な説明図である。図３において、図２のμＣＰＵ等の処理手段６は、タッチパネル３に触れた指示手段４の位置を認識する位置認識手段６ａと、この位置認識手段６ａの位置データを画面中の位置に対応させる表示処理手段６ｂと、測定信号データに基き時間的に変化するトレンド画面などを生成するトレンド画面生成手段６ｃと、このトレンド画面生成手段６ｃの時間的に変化するトレンド表示に表示処理手段６ｂによる指示手段４の軌跡位置を重ね合わせ記録データ表示画面に表示する合成表示手段６ｄなどの機能を備えている。なお、合成表示手段６ｄの機能は、処理手段６のほかに、図２の表示処理手段９で行ってもよい。
【００１０】
【発明の効果】この発明は、時間的に変化するトレンド表示などの記録データ表示画面を表示する表示手段と、この表示手段に重ねて設けられたタッチパネルと、このタッチパネルに触れた指示手段の位置を認識し、時間的に変化するトレンド表示に指示手段の軌跡を重ね合わせ前記表示手段の表示画面に表示する処理手段とを備えた記録計である。したがって、余分なキーボードなどを用意する必要がなく、タッチペンなどの指示手段などで任意の位置に自由なコメント等を記入・表示でき、現場での取扱・使い勝手に優れる。また、音声での入力可能なので、入力の多様性が得られ、定型文でなく、フレキシブルで充分なコメント情報が確保できるペーパーレスのグラフィック記録計が実現でき、また、記録の保存・再生なども可能で、コンパクトで多用途に用いることができる。
【図面の簡単な説明】
【図１】この発明の一実施例の外観を示す構成説明図である。
【図２】この発明の一実施例を示す構成説明図である。
【図３】この発明の一実施例の機能を示す説明図である。
【符号の説明】
１　前面部
２　表示手段
３　タッチパネル
４　指示手段
５　音声入力手段
６　処理手段
【図１】
2004028791.tif 000003
【図２】
2004028791.tif 000004
【図３】
2004028791.tif 000005